(57)【要約】      （修正有）【課題】異なる媒質間の境界面形状を可変とすることで屈折力可変とする素子を有する変倍光学系で、高倍率化を実現すると同時に、屈折力変化による像面彎曲変動を低減した変倍光学系を提供する。【解決手段】異なる媒質間の境界面形状を可変として、屈折力を可変とする素子を複数有し、広角から望遠端への変倍に際し、結像倍率が増大する１以上の屈折力可変素子、および可動レンズ群に加え、屈折力変化が正に変化するような屈折力可変素子AO1，および屈折力変化が負に変化するような屈折力可変素子AO2を少なくとも１つずつ有し、以下の条件式を満足する。ただし、結像倍率はｄ線波長における結像倍率を表す。｜Δφao1＋Δφao2｜・fw＜０．０７・・・（１）ここで、屈折力可変素子AO1についての屈折力変化量の総和をΔφao1、屈折力可変素子AO2についての屈折力変化量の総和をΔφao2、広角端における全系焦点距離をfwとする。【選択図】図１
2014145883.tif 000002
【特許請求の範囲】
【請求項１】
異なる媒質間の境界面形状を可変として、屈折力を可変とする素子を複数有し、
広角から望遠端への変倍に際し、
結像倍率が増大する１以上の屈折力可変素子、および可動レンズ群に加え、
屈折力変化が正に変化するような屈折力可変素子ao1，
および屈折力変化が負に変化するような屈折力可変素子ao2を少なくとも１つずつ有し、
以下の条件式を満足することを特徴とする変倍光学系。
ただし、結像倍率はｄ線波長における結像倍率を表す。
｜Δφao1＋Δφao2｜・fw＜０．０７・・・（１）
ここで、
屈折力可変素子ao1についての屈折力変化量の総和をΔφao1,
屈折力可変素子ao2についての屈折力変化量の総和をΔφao2、
広角端における全系焦点距離をfwとする。
【請求項２】
広角から望遠端への変倍に際し、少なくとも１つ以上の屈折力可変素子を可動として変倍することを、特徴とする請求項１に記載の変倍光学系。
【請求項３】
広角端における、最物体側レンズから上記屈折力可変素子ao2までの焦点距離をｆao2としたとき、以下条件式を満足することを特徴とする請求項１に記載の変倍光学系。
０．５＜ｆao2／ｆｗ＜４．０・・・（２）
【請求項４】
広角端における、最物体側レンズから上記屈折力可変素子ao1までの焦点距離をｆao1としたとき、以下条件式を満足することを特徴とする請求項１に記載の変倍光学系。
−４．０＜ｆao1／ｆｗ＜−０．８・・・（３）
【請求項５】
少なくとも１以上の屈折力可変素子は、屈折率高い媒質について以下の範囲を満足することを特徴とする請求項１に記載の変倍光学系。
Ｎｄ＜−０．０１８５ｖｄ＋２．５６９（ただし、２８＜ｖｄ＜５５）・・・（４）
１．５５＜Ｎｄ・・・（５）
【請求項６】
広角から望遠端への変倍時に結像倍率が増大する屈折力可変素子のうち、
屈折力可変量が最小値となる素子の屈折力変化量をΔφaominとしたとき、
以下の条件式を満足することを特徴とする請求項１に記載の変倍光学系。
０．０１＜｜Δφaomin・fw｜＜０．１０・・・（６）
【発明の詳細な説明】
【技術分野】
【０００１】
本発明は、撮像装置に関し、特に異なる媒質界面形状を可変とした屈折力可変素子を有する、変倍光学系に関するものである。
【背景技術】
【０００２】
異なる媒質界面の曲率半径を制御することで、屈折力を可変とするものが知られている。従来、このような屈折力を積極的に可変とできる素子を複数用いて、レンズ群の移動量を低減しつつ高倍率化、さらには光学系の小型化が図られてきた。
【０００３】
特許文献１、２では複数の素子屈折力を可変としたことで、レンズ群の移動量を低減したり、高機能化した例が開示されている。
【先行技術文献】
【特許文献】
【０００４】
【特許文献１】特開昭２００６−９８９７２号公報
【特許文献２】特開昭６２−７８５２１号公報
【発明の概要】
【発明が解決しようとする課題】
【０００５】
しかしながら、上述の特許文献１に開示された従来技術では複数の屈折力を可変とした素子を用いることで、変倍時駆動量を低減して小型化できるものの、変倍時の像面彎曲変動が大きい、もしくは高倍率化効果を十分発揮することができないといった課題があった。
【０００６】
また特許文献２に開示された従来技術では、可変素子媒質屈折率については同じ媒質を適用しているために、変倍時に屈折力変化量を与えられず、高倍率化効果が得られないといった課題があった。
【０００７】
そこで、本発明の目的は、効率よく高倍率化を達成するために、１以上の屈折力可変素子、可動レンズ群の結像倍率が増大する構成とし、屈折力変化に伴う像面彎曲変動を低減するための条件を見出し、高倍率かつ彎曲特性に優れた変倍光学系を実現することである。
【課題を解決するための手段】
【０００８】
上記目的を達成するために、本発明は、
異なる媒質間の境界面形状を可変として、屈折力を可変とする素子を複数有し、
広角から望遠端への変倍に際し、
結像倍率が増大する１以上の屈折力可変素子、および可動レンズ群に加え、
屈折力変化が正に変化するような屈折力可変素子ao1，
および屈折力変化が負に変化するような屈折力可変素子ao2を少なくとも１つずつ有し、
以下の条件式を満足することを特徴とする変倍光学系としている。
ただし、結像倍率はｄ線波長における結像倍率を表す。
｜Δφao1＋Δφao2｜・fw＜０．０７・・・（１）
ここで、
屈折力可変素子ao1についての屈折力変化量の総和をΔφao1,
屈折力可変素子ao2についての屈折力変化量の総和をΔφao2、
広角端における全系焦点距離をfwとする。
【発明の効果】
【０００９】
本発明によれば、高倍率かつ像面彎曲変動を低減した変倍光学系を提供することができる。
【図面の簡単な説明】
【００１０】
【図１】本発明の実施形態１のレンズ断面図
【図２】本発明の実施形態２のレンズ断面図
【図３】本発明の実施形態３のレンズ断面図
【図４】本発明の実施形態４のレンズ断面図
【図５】本発明の実施形態５のレンズ断面図
【図６】本発明の実施形態１の広角端における収差図
【図７】本発明の実施形態１の望遠端における収差図
【図８】本発明の実施形態２の広角端における収差図
【図９】本発明の実施形態２の望遠端における収差図
【図１０】本発明の実施形態３の広角端における収差図
【図１１】本発明の実施形態３の望遠端における収差図
【図１２】本発明の実施形態４の広角端における収差図
【図１３】本発明の実施形態４の望遠端における収差図
【図１４】本発明の実施形態５の広角端における収差図
【図１５】本発明の実施形態５の望遠端における収差図
【図１６】電気駆動方式の屈折力可変素子の例を説明する図
【図１７】弾性膜駆動方式の屈折力可変素子の例を説明する図
【図１８】本発明の実施形態に使用する媒質を説明する図
【図１９】本発明の条件式（４）（５）範囲、および数値実施例媒質を説明する図
【発明を実施するための形態】
【００１１】
従来、異なる媒質界面の形状を可変とした屈折力可変素子を複数含む光学系では、レンズ群移動量を低減して高倍率化を達成するために、変倍時の像面彎曲変動が大きくなってしまうことがあった。この点に鑑みて像面彎曲変動を低減する手法については言及されていなかった。
【００１２】
そこで、本発明は、広角から望遠端への変倍時に、屈折力可変素子に屈折力変化を与えて高倍化すると同時に、各々の素子に関して前記屈折力変化量を適切に設定することで、高倍率かつ彎曲補正を実現した構成について着眼・言及している。
【００１３】
以下に、本発明の好ましい実施の形態を、添付の図面に基づいて詳細に説明する。
【００１４】
図１６、１７を用いて、本願の屈折力可変レンズについて説明する。
【００１５】
図１６、１７では２種類の液体（電解液と非電解液、または液体１と２）をユニットに封入して、その界面曲率を電気的に制御、変化させて屈折力を可変とすることができる。前記液体が相互に混ざりあわない特性をもつ場合には電気駆動方式がよく使われる（図１６）。
【００１６】
また界面に弾性膜を使用してアクチュエーターなどの駆動手段を設け、機構的制御を加えることで同じような機能をもたせることができる（図１７）。これによれば、相互に混ざり合う液体であっても実現が可能であり液体選択性が高い点が利点である。
【００１７】
電気駆動方式のような素子の場合、電解液を水（Ｎｄ＝１．３３，ｖｄ＝５５．７）、非電解液をオイル系媒質とすることで、各々の媒質が混ざり合わないように構成することができる。
【００１８】
オイル系媒質の例としては、図１８に示すような特性領域内のものが想定できる。
つまり、現在知られているオイル系媒質Ａ（ｎｄ＝１．４８，ｖｄ＝５４．６），Ｂ（ｎｄ＝２．３２，ｖｄ＝７），Ｃ（ｎｄ＝１．６４，ｖｄ＝２１．２）を任意の体積比で混合することで領域内の任意の特性が得られることが考えられる。
【００１９】
このため本願では図１８に示す領域内特性の媒質をオイル系媒質として想定している。
【００２０】
屈折力可変手段はカメラ等に応用することなどを考えると、前述のように異なる透明媒質境界面形状を電気的に駆動制御する方式が透過率、応答性の面から望ましい。
【００２１】
図１は、本発明の実施形態にかかわる光学断面図である。
【００２２】
各実施形態のレンズ断面図において、ＡＯ１、ＡＯ２がそれぞれ広角から望遠端への変倍時に、屈折力がそれぞれ正および負方向に変化する屈折力可変レンズ、ＳＰは開口絞り、ＧＢはガラスブロック、ＩＰは像面でありＣＣＤなどの素子が配置される。
【００２３】
また実施形態１〜５全てのズームレンズについて、広角端、望遠端とは変倍用のレンズ群が機構上、光軸上を移動可能な範囲の両端に位置したときの位置をいう。
【００２４】
なお、本願の実施形態１〜５は以下を満足するような構成としている。
【００２５】
異なる媒質間の境界面形状を可変として、屈折力を可変とする素子を複数有し、
広角から望遠端への変倍に際し、
結像倍率が増大する１以上の屈折力可変素子、および可動レンズ群を有している。
上記記載のように、結像倍率が増大する屈折力可変素子、可動レンズ群が１以上ないと、高倍化達成ができなくなる。
【００２６】
さらに、屈折力変化が正に変化するような屈折力可変素子ao1，
および屈折力変化が負に変化するような屈折力可変素子ao2を少なくとも１つずつ有しており、以下の条件式を満足することを特徴としている。
ただし、結像倍率はｄ線波長における結像倍率を表す。
｜Δφao1＋Δφao2｜・fw＜０．０７・・・（１）
ここで、
屈折力可変素子ao1についての屈折力変化量の総和をΔφao1,
屈折力可変素子ao2についての屈折力変化量の総和をΔφao2、
広角端における全系焦点距離をfwとする。
【００２７】
上記記載のように、屈折力可変方向がお互いに逆となる素子を複数組み合わせた構成として、条件式（１）にある変倍時の屈折力変化量に着目した式を満足することで、ペッツバール和変動、像面彎曲変動も補正することができるような変倍光学系を実現できる。
【００２８】
条件式（１）は、屈折力可変素子ao1，ao2の広角から望遠端にむけての屈折力可変量を規定したものであって、上限を超えると像面彎曲が残存してしまうため好ましくない。
【００２９】
さらに望ましくは、以下の条件式（１a）を満足することで、さらに高倍率であって像面彎曲が少ない変倍光学系を得ることができる。
｜Δφao1＋Δφao2｜・fw＜０．０５・・・（１ａ）
広角から望遠端への変倍に際し、
少なくとも１つ以上のレンズ群を可動として変倍すれば、曲率変化に加えて、移動による結像倍率の増大効果が得られて、変倍効率を向上させることが期待できる。
【００３０】
広角端における、最物体側レンズから上記屈折力可変素子ao2までの焦点距離をｆao2としたとき、以下条件式を満足することを特徴としている。
０．５＜ｆao2／ｆｗ＜４．０・・・（２）
条件式（２）は、広角から望遠端にかけて屈折力が負方向に変化する屈折力可変素子ao2に入射する光束条件を規定するものであって、収束光束で入射することが望ましい。条件式の下限を超えると像面彎曲補正が困難となり、逆に上限を超えると、屈折力を可変とすることで所望の変倍比を稼ぐことができなくなる。
【００３１】
さらに望ましくは、以下の条件式（２a）を満足することで、さらに高倍率かつ像面彎曲が少ない変倍光学系を得ることができる。
０．８５＜ｆao2／ｆｗ＜１．６・・・（２ａ）
広角端における、最物体側レンズから上記屈折力可変素子ao1までの焦点距離をｆao1としたとき、以下条件式を満足することを特徴としている。
−４．０＜ｆao1／ｆｗ＜−０．８・・・（３）
条件式（３）は、広角から望遠端にかけて屈折力が正方向に変化する屈折力可変素子ao1に入射する光束条件を規定するものであって、発散光束で入射することが望ましい。条件式の下限を超えると、屈折力を可変とすることで所望の変倍比を稼ぐことができなくなる。また上限を超えると像面彎曲補正が困難になるため好ましくない。
【００３２】
さらに望ましくは、以下の条件式（３a）を満足することで、さらに高倍率かつ像面彎曲が少ない変倍光学系を得ることができる。
−３．０＜ｆao1／ｆｗ＜−０．９・・・（３ａ）
また、少なくとも１以上の屈折力可変素子は、屈折率高い媒質について
以下の範囲を満足することを特徴としている。
Ｎｄ＜−０．０１８５ｖｄ＋２．５６９（ただし、２８＜ｖｄ＜５５）・・・（４）
１．５５＜Ｎｄ・・・（５）
条件式（４）（５）は、屈折力可変素子の媒質範囲を規定したものである（図１９：三角形の枠内部領域に相当する）。
【００３３】
まず屈折率について、条件式（４）範囲を超えるような高屈折率媒質を得ることは現状では難しい。また条件式（５）範囲を超えて、媒質の屈折率が小さくなると、所望の屈折力変化、および高倍率化効果が得られないため好ましくない。
【００３４】
アッベ数について、条件式（４）に規定している上下限のどちらを超えても、屈折力可変素子で発生する色収差変動が大きくなって破綻する。
【００３５】
また、広角から望遠端への変倍時に結像倍率が増大する屈折力可変素子のうち、
屈折力可変量が最小値となる素子の屈折力変化量をΔφaominとしたとき、
以下の条件式を満足することを特徴としている。
０．０１＜｜Δφaomin・fw｜＜０．１０・・・（６）
条件式（６）は、広角から望遠端へ向けて増倍する屈折力可変素子について、
屈折力可変量の最小値を規定しているものであって、条件式（６）の下限を超えると、高倍率化が達成できなくなる。
【００３６】
逆に条件式（６）の上限を超えると、変倍時の屈折力可変量が大きすぎて像面彎曲収差変動が破綻する。
【００３７】
さらに望ましくは、以下の条件式（６ａ）範囲を満足することで、より変倍効率が高く、像面彎曲収差変動を低減した変倍光学系が得られる。
０．０２＜｜Δφaomin・fw｜＜０．０８・・・（６ａ）
【実施例１】
【００３８】
以下、図１を参照して、本発明の第1の実施例による変倍光学系について説明する。
【００３９】
物体側から順に、正屈折力の第１レンズ群Ｌ１、負屈折力を有する第２レンズ群Ｌ２、屈折力可変素子ＡＯ１、正屈折力を有する第３レンズ群Ｌ３、正屈折力を有する第４レンズ群Ｌ４、屈折力可変素子ＡＯ２で構成されている。
【００４０】
本実施例では、広角端から望遠端への変倍に際し、第１レンズ群、ＡＯ１、ＡＯ２は固定としている。また第２レンズ群Ｌ２を像側へ移動することで、約２．０倍の増倍効果を有している。
【００４１】
さらに、第２と３レンズ群間に屈折力変化が正の素子、第４レンズ群の像側に屈折力変化が負の素子を用いることで変倍時の像面彎曲変動をおさえながら約９．５倍といった変倍光学系が実現できている。
【００４２】
撮影、または物体距離が変化したときには、第４レンズ群Ｌ４を移動することでフォーカスを調整している。
【００４３】
本実施例では、ｄ線波長において、ＡＯ１素子は約１．４４倍の増倍作用を有している。素子電解液については、水（ｎｄ＝１．３３，ｖｄ＝５５．７）を使用している。
【００４４】
非電解液について、ＡＯ１素子はｎｄ＝１．６５，ｖｄ＝４２．７を、ＡＯ２素子はｎｄ＝１．５８，ｖｄ＝４６．２といった特性のものを使用している。これによって、各々の媒質が混ざり合わないように構成できる。
【実施例２】
【００４５】
以下、図２を参照して、本発明の第２の実施例による変倍光学系について説明する。
【００４６】
物体側から順に、負屈折力の第１レンズ群Ｌ１、屈折力可変素子ＡＯ１および第２レンズ群Ｌ２からなる正屈折力を有する群、正屈折力を有する第３レンズ群Ｌ３、屈折力可変素子ＡＯ２で構成されている。
【００４７】
本実施例では、第２レンズ群の物体側に屈折力変化が正の素子、第３レンズ群の像側に屈折力変化が負の素子を用いることで変倍時の像面彎曲変動をおさえながら約４．８倍といった変倍光学系が実現できている。
【００４８】
また屈折力可変素子について、実施例１では変倍時に固定されていたが、本実施例のように、ＡＯ１と第２レンズ群を一体で物体側へ移動させることも可能である。また、第３レンズ群Ｌ３を像側へ移動することで、増倍効果を有している。
【００４９】
撮影、または物体距離が変化したときには、第３レンズ群Ｌ３を移動することでフォーカスを調整している。
【００５０】
本実施例では、ｄ線波長において、ＡＯ１素子は約１．３０倍の増倍作用を有している。素子電解液については、水（ｎｄ＝１．３３，ｖｄ＝５５．８）を使用している。非電解液について、ＡＯ１素子はｎｄ＝１．６５，ｖｄ＝３３．４を、ＡＯ２素子はｎｄ＝１．６５，ｖｄ＝２９．６といった特性のものを使用している。これによって、各々の媒質が混ざり合わないように構成できる。
【実施例３】
【００５１】
以下、図３を参照して、本発明の第３の実施例による変倍光学系について説明する。
物体側から、正屈折力の第１レンズ群Ｌ１、負屈折力の第２レンズ群Ｌ２、プリズムＰＲ、屈折力可変素子ＡＯ１、正屈折力の第３レンズ群Ｌ３、屈折力可変素子ＡＯ２ａおよび正屈折力を有する第４群Ｌ４からなる群、屈折力可変素子ＡＯ２bから構成されている。
【００５２】
本実施例では、広角端から望遠端への変倍に際し、第２レンズ群Ｌ２を像側へ移動することで、約２．０倍の増倍効果を有している。また屈折力可変素子ＡＯ２ａと第４レンズ群は一体で可動している。
【００５３】
さらにプリズムと第３レンズ群間に屈折力変化が正の素子、第４レンズ群の物体側および像側に、それぞれ屈折力変化が負の素子を用いることで変倍時の像面彎曲変動をおさえながら約９．５倍といった変倍光学系が実現できている。
【００５４】
撮影、または物体距離が変化したときには、ＡＯ２ａと第４レンズ群Ｌ４を一体で移動することでフォーカスを調整している。
【００５５】
本実施例では、ｄ線波長において、ＡＯ１素子は約１．４３倍の増倍作用を有している。
【００５６】
素子電解液については、水（ｎｄ＝１．３３，ｖｄ＝５５．７）、非電解液について、ＡＯ１，ＡＯ２ａ，ＡＯ２ｂ素子ともにｎｄ＝１．７４，ｖｄ＝４０．０といった特性のものを使用している。これによって、各々の媒質が混ざり合わないように構成できる。
【実施例４】
【００５７】
以下、図４を参照して、本発明の第４の実施例による変倍光学系について説明する。
【００５８】
物体側から、負屈折力の第１レンズ群Ｌ１、正屈折力の第２レンズ群Ｌ２、第３レンズａ群Ｌ３ａと屈折力可変素子ＡＯ１、および第３レンズｂ群Ｌ３ｂとからなる群、正屈折力の第４レンズ群Ｌ４、屈折力可変素子ＡＯ２から構成されている。
【００５９】
本実施例では、広角端から望遠端への変倍に際し、ＡＯ２は固定としている。また、第２レンズ群を物体側へ移動することで、増倍効果を有している。
【００６０】
さらに第３ａと３ｂレンズ群間に屈折力変化が正の素子、第４レンズ群の像側に屈折力変化が負の素子を用いることで変倍時の像面彎曲変動をおさえ、超広角レンズでありながら高倍率効果を高めて２．１倍といった光学系を実現している。
【００６１】
撮影、または物体距離が変化したときには、第１レンズ群内の物体側から数えて２〜３番目のレンズＧ２，Ｇ３を一体で移動することでフォーカスを調整している。
【００６２】
本実施例では、ｄ線波長において、ＡＯ２素子はそれぞれ１．５倍以上の増倍作用を有している。素子電解液については、水（ｎｄ＝１．３３，ｖｄ＝５５．７）を使用している。非電解液について、ＡＯ１素子はｎｄ＝１．７４，ｖｄ＝４０．０を、ＡＯ２素子はｎｄ＝１．４８，ｖｄ＝５４．６といった特性のものを使用している。
【００６３】
本実施例に使用している屈折力可変素子としては、例えば媒質境界に弾性膜を用いて境界面曲率半径を制御するとよい（図１７）。この方式によれば、図１７に示す液量を制御するアクチュエーターなどを駆動することで、電解・非電解液の体積、液量を可変とするような構成も可能である。
【実施例５】
【００６４】
以下、図５を参照して、本発明の第５の実施例による変倍光学系について説明する。
【００６５】
物体側から順に、負屈折力の第１レンズ群Ｌ１、屈折力可変素子ＡＯ１および第２レンズ群Ｌ２からなる正屈折力を有する群、正屈折力を有する第３レンズ群Ｌ３、屈折力可変素子ＡＯ２で構成されている。
【００６６】
本実施例では、第２レンズ群の物体側に屈折力変化が正の素子、第３レンズ群の像側に屈折力変化が負の素子を用いることで変倍時の像面彎曲変動をおさえながら約４．８倍といった変倍光学系が実現できている。
【００６７】
また屈折力可変素子について、実施例１では変倍時に固定されていたが、本実施例のように、ＡＯ１と第２レンズ群を一体で物体側へ移動させることも可能である。また、第３レンズ群Ｌ３を物体側へ移動することで、増倍効果を有している。
【００６８】
撮影、または物体距離が変化したときには、ＡＯ２を移動することでフォーカスを調整している。
【００６９】
本実施例では、ｄ線波長において、ＡＯ１素子は約１．０５倍の増倍作用を有している。素子電解液については、水（ｎｄ＝１．３３，ｖｄ＝５５．８）を使用している。非電解液について、ＡＯ１素子はｎｄ＝１．５１，ｖｄ＝５１．２を、ＡＯ２素子はｎｄ＝１．９０，ｖｄ＝３０．０といった特性のものを使用している。これによって、各々の媒質が混ざり合わないように構成できる。
【００７０】
以上、本発明の好ましい実施形態について説明したが、本発明はこれらの実施形態に限定されず、その要旨の範囲内で種々の変形及び変更が可能である。
【００７１】
次に、各実施形態におけるデータを以下に示す。ｉは物体面からの面の順序を示し、ｒｉはレンズ面の曲率半径、ｄｉは第ｉ面と第ｉ＋１面との間のレンズ肉厚および空気間隔、ｎｉ，ｖｉはそれぞれｄ線に対する屈折率およびアッベ数を表す。
【００７２】
また、最も像側に配置される硝子ブロックＧＢはＣＣＤ保護硝子、ローパスフィルターなどに相当する。またｋ，Ａ，Ｂ，Ｃ，Ｄ，Ｅなどは非球面係数である。
【００７３】
非球面形状は光軸からの高さｈの位置での光軸方向の変位を、面頂点を基準にしてｘとするとき以下の式で定義される。
ｘ＝（ｈ2／Ｒ）／［１＋｛１−（１＋ｋ）（ｈ／Ｒ）2｝1/2］
＋Aｈ4＋Bｈ6＋Cｈ8＋Dｈ１０＋Eｈ1２
ただし、ここでＲは曲率半径である。
【００７４】
数値実施例１
単位 mm
面データ
面番号       r        d      nd         vd       有効径
1         28.479    1.20   1.84666    23.8       25.75
2         17.564    5.48   1.77250    49.6       22.80
3       6873.853  (可変)                         21.95
4        147.858    0.80   1.88300    40.8       16.84
5          8.515    4.59                         12.59
6*       -18.084    1.00   1.88300    40.8       12.39
7*       143.569    0.10                         12.82
8        380.124    3.03   1.94595    18.0       12.91
9        -26.866  (可変)                         13.12
10          ∞       0.61   1.33304    55.7        9.00
11       （可変）    0.64   1.65294    42.8        8.89
12          ∞     (可変)                          8.78
13*        12.178    3.50   1.49700    81.5        7.65
14        -27.439    2.50                          8.43
15          7.898    3.39   1.49700    81.5        7.39
16         20.614    0.60   2.00330    28.3        6.09
17          6.609    0.40                          5.71
18         16.233    1.15   1.72825    28.5        5.71
19         38.772  (可変)                          5.70
20*        17.363    1.97   1.45600    90.3        8.66
21        344.622  (可変)                          8.55
22          ∞       0.55   1.33304    55.7       10.00
23       （可変）    0.55   1.58068    46.2       10.00
24          ∞                                    10.00
像面           
非球面データ
第6面
K = 0.00000e+000  A 4=-6.02345e-004  A 6= 1.34031e-005  A 8=-1.91200e-007  A10= 1.56592e-009  
第7面
K =-3.21679e+003  A 4=-4.54896e-004  A 6= 1.01416e-005  A 8=-1.29730e-007  A10= 1.05351e-009  
第13面
K = 1.05797e+000  A 4=-1.74178e-004  A 6=-1.08865e-006  A 8=-5.81524e-009  
第20面
K = 9.63774e+000  A 4=-2.50683e-004  A 6= 5.21092e-007  A 8=-4.99622e-007  A10= 2.55173e-009  
各種データ
ズーム比      9.45 
広角     中間     望遠
焦点距離       5.20    16.08    49.14  
Fナンバー      2.93     3.93     6.30  
画角           33.9     12.3      4.1  
像高           3.50     3.50     3.50  
レンズ全長    80.75    80.75    80.75  
BF             4.04     4.04     4.04  
d 3            0.55     9.03    13.24  
d 9           13.34     4.86     0.65  
d12           23.05    14.50     1.97  
d19            3.73    15.26    26.79  
d21            3.99     1.00     2.01  
d24            4.07     5.33    23.28  
r11          -84.67 -1423.26    35.80  
d10            0.61     0.53     0.34  
d11            0.64     0.72     0.91
r23           35.15    91.55   -75.00  
d22            0.55     0.69     0.88  
d23            0.55     0.41     0.22
入射瞳位置    17.72    41.01    52.15  
射出瞳位置   -21.48   -54.88  -113.40  
前側主点位置  21.86    52.70    80.76  
後側主点位置  -1.13   -12.08   -44.90  
ズームレンズ群データ
群  始面    焦点距離  レンズ構成長  前側主点位置  後側主点位置
1    1      39.24         6.68        -0.12         -3.86
2    4      -9.14         9.52         0.32         -7.51
AO1  10    -264.68         1.25         0.46         -0.39
3   13      17.56        11.53        -5.41        -10.05
4   20      40.02         1.97        -0.07         -1.42
AO2  22     141.94         1.10         0.41         -0.35
単レンズデータ
レンズ  始面  焦点距離
1       1    -57.00
2       2     22.79
3       4    -10.26
4       6    -18.14
5       8     26.62
6      10    254.24
7      11   -129.68
8      13     17.48
9      15     23.67
10      16     -9.91
11      18     37.54
12      20     40.02
13      22   -105.54
14      23     60.53
数値実施例２
単位 mm
面データ
面番号       r        d      nd         vd       有効径
1*       822.436    1.10   1.86400    40.6       14.40
2*         6.178    1.95                         10.70
3          8.151    1.80   1.94595    18.0       11.30
4         11.485  (可変)                         10.70
5          ∞   （可変）   1.64600    33.4        5.20
6       （可変）（可変）   1.33304    55.8        5.20
7          ∞       0.10                          5.20
8*         5.918    1.80   1.85135    40.1        5.50
9         64.692    0.23                          5.20
10          7.646    1.30   1.71999    50.2        4.90
11       -106.751    0.50   1.84666    23.8        4.50
12          3.885    0.94                          4.00
13         27.578    1.00   1.74950    35.3        4.00
14        -29.647    0.58                          4.00
15(絞り)    ∞     (可変)                          2.99
16*        18.844    1.20   1.69350    53.2        8.30
17         67.088  (可変)                          8.30
18          ∞   （可変）   1.65400    29.6        8.00
19       （可変）（可変）   1.33304    55.8        8.00
20          ∞       1.00                          8.00
21          ∞       0.50   1.51633    64.1       20.00
22          ∞    （可変）                        20.00
非球面データ
第1面
K =-4.39302e+005  A 4= 2.66495e-004  A 6=-3.66801e-006  A 8= 2.93756e-008  A10=-1.12868e-010  
第2面
K =-1.73497e+000  A 4= 1.07426e-003  A 6=-1.07394e-006  A 8= 1.26888e-007  A10= 8.27304e-011  
第8面
K =-3.07128e-001  A 4=-2.29854e-004  A 6= 6.52175e-006  A 8=-1.64145e-006  A10= 8.32941e-008  
第16面
K = 0.00000e+000  A 4= 5.73806e-005  A 6= 3.23139e-005  A 8=-2.35249e-006  A10= 6.20072e-008  
各種データ
ズーム比      4.75 
広角     中間     望遠
焦点距離       4.43    12.65    21.05  
Fナンバー      2.88     4.26     5.88  
画角          37.50    15.04     9.17  
像高           3.40     3.40     3.40  
レンズ全長    40.82    34.72    39.64  
BF             0.30     0.27     0.18  
d 4           18.49     4.26     1.12  
d15            2.40    11.85    19.20  
d17            3.63     2.33     3.13  
d22            0.30     3.80     8.44  
r6            37.56   351.26  -187.78  
r19          -32.10  -160.48    32.10  
入射瞳位置     8.44     7.27     6.88  
射出瞳位置    -9.42   -22.95   -31.72  
前側主点位置  10.85    13.03    14.04  
後側主点位置  -4.13   -12.38   -20.87  
ズームレンズ群データ
群  始面    焦点距離  レンズ構成長  前側主点位置  後側主点位置
1    1     -10.50         4.85         0.53         -2.75
AO1+2 5      10.64         7.45        -0.95         -5.62
3   16      37.41         1.20        -0.27         -0.98
AO2  18     100.00         2.50         0.38         -1.61
単レンズデータ
レンズ  始面  焦点距離
1       1     -7.21
2       3     23.51
3       5    -58.14
4       6    112.76
5       8      7.54
6      10      9.96
7      11     -4.42
8      13     19.21
9      16     37.41
10      18     49.08
11      19    -96.37
12      21      0.00
数値実施例３
単位 mm
面データ
面番号       r        d      nd         vd       有効径
1         29.397    1.20   1.84666    23.8       25.77
2         17.032    5.55   1.77250    49.6       22.60
3       1892.933  (可変)                         21.62
4        156.862    0.80   1.88300    40.8       17.32
5          9.488    4.42                         13.25
6*       -17.514    1.00   1.88300    40.8       13.04
7*        37.762    0.10                         13.25
8         63.542    2.03   1.94595    18.0       13.25
9        -30.670  (可変)                         13.36
10          ∞       8.00   1.80610    33.3       10.00
11          ∞       0.10                          9.02
12          ∞   （可変）   1.33304    55.7        9.02
13       （可変）（可変）   1.73770    40.0        8.92
14          ∞     (可変)                          8.87
15*        11.394    4.99   1.49700    81.5        7.94
16        -26.014    2.50                          8.35
17          9.232    2.72   1.49700    81.5        7.25
18         20.516    0.60   2.00330    28.3        6.31
19          7.095    0.33                          5.94
20         13.895    1.56   1.69895    30.1        5.94
21         23.416  (可変)                          5.84
22          ∞   （可変）   1.33304    55.7        8.15
23       （可変）（可変）   1.73770    40.0        8.20
24          ∞       0.10                          8.28
25*        15.007    2.04   1.43875    95.0        8.42
26       3459.951  (可変)                          8.35
27          ∞   （可変）   1.33304    55.7       10.00
28       （可変） （可変）  1.73770    40.0       10.00
29          ∞                                    10.00  
非球面データ
第6面
K = 0.00000e+000  A 4=-4.22458e-004  A 6= 2.03537e-005  A 8=-4.48262e-007  A10= 3.76964e-009  
第7面
K =-9.37295e+001  A 4=-1.86139e-004  A 6= 1.34122e-005  A 8=-3.14173e-007  A10= 2.71380e-009  
第15面
K = 7.74031e-001  A 4=-1.79994e-004  A 6=-1.21748e-006  A 8=-7.68902e-009  
第25面
K = 8.98920e-001  A 4=-4.72110e-005  A 6= 7.06658e-006  A 8=-5.65233e-007  A10= 1.33876e-008  
各種データ
ズーム比      9.45 
広角     中間     望遠
焦点距離       5.20    14.42    49.14  
Fナンバー      2.93     3.93     6.22  
画角           33.9     13.6      4.1  
像高           3.50     3.50     3.50  
レンズ全長    88.50    88.50    88.50  
BF             4.12     4.12     4.12  
d 3            0.55     8.16    14.34  
d 9           14.34     6.73     0.55  
d14           20.96    12.82     0.65  
d21            3.09    14.02    26.69  
d26            3.79     1.00     0.50  
d29            4.15     5.86    26.09  
r13          368.81    76.23    30.33  
d12            0.60     0.53     0.40  
d13            0.60     0.67     0.80
r23          380.89   -75.00   -60.00  
d22            0.60     0.70     0.72  
d23            0.60     0.50     0.48
r28        39181.87 -6802.20   -60.00  
d27            0.60     0.60     0.74  
d28            0.60     0.60     0.46
入射瞳位置    18.07    37.68    58.44  
射出瞳位置   -21.04   -46.48   -74.15  
前側主点位置  22.19    47.98    76.79  
後側主点位置  -1.05   -10.38   -44.87  
ズームレンズ群データ
群  始面    焦点距離  レンズ構成長  前側主点位置  後側主点位置
1    1      41.39         6.75        -0.18         -3.95
2    4      -8.48         8.35         0.98         -5.62
PR   10        ∞          8.00         0.00          0.00
AO1  12     911.40         1.20         0.45         -0.35
3   15      18.97        12.71        -6.15        -11.01 
AO2a+4 22      33.15         3.34         0.87         -1.44
AO2b 27     96826.88       1.20         0.45         -0.35
単レンズデータ
レンズ  始面  焦点距離
1       1    -50.05
2       2     22.22
3       4    -11.47
4       6    -13.44
5       8     22.10
6      10      0.00
7      12   -1107.39
8      13    499.94
9      15     16.68
10      17     31.27
11      18    -11.06
12      20     45.80
13      22   -1143.68
14      23    516.32
15      25     34.35
16      27   -117648.78
17      28    53113.55
数値実施例４
単位 mm
面データ
面番号       r        d      nd         vd       有効径
1          ∞       1.80                         67.00
2*       133.319    3.50   1.58593    59.6       44.87
3         13.877   10.35                         26.88
4          ∞       0.00                         26.97
5          ∞       3.12                         26.97
6       -171.383    1.30   1.77250    49.6       24.95
7         18.619    0.06   1.51640    52.2       22.02
8*        17.725    1.81                         21.99
9         20.489    4.54   1.72825    28.5       22.07
10         65.368  (可変)                         21.02
11          ∞       0.00                         11.63
12        159.716    1.25   1.83481    42.7       11.62
13         14.840    4.08   1.51742    52.4       11.50
14        -47.721    1.06                         11.81
15(絞り)    ∞       1.50                         12.06
16         22.094    2.55   1.51823    58.9       13.07
17       -104.816  (可変)                         13.13
18        -96.945    0.80   1.80400    46.6       13.12
19         34.133    1.12                         13.22
20          ∞       1.00   1.33304    55.7       13.45
21      （可変）     1.00   1.73769    40.0       13.73
22          ∞       0.35                         14.27
23         43.740    2.92   1.84666    23.8       15.08
24        -47.097  (可変)                         15.46
25         48.764    5.16   1.48749    70.2       16.98
26        -25.817    1.00   1.83400    37.2       17.18
27         34.524    0.05                         17.87
28         17.669    6.26   1.43875    95.0       19.54
29        -32.765    0.15                         19.73
30        134.464    1.00   1.83400    37.2       19.54
31         19.501    6.24   1.48456    70.0       19.16
32*       -32.064  (可変)                         19.49
33          ∞       2.32   1.33304    55.7       19.77
34       （可変）    3.62   1.48000    54.6       20.25
35          ∞      32.20                         20.25
36          ∞       0.00                         50.00
37          ∞       2.90   1.54400    67.6       50.00
38          ∞       1.10                         50.00
39          ∞       0.00                         50.00
40          ∞                                    50.00
非球面データ
第2面
K = 0.00000e+000  A 4= 2.86904e-005  A 6=-5.81358e-008  A 8= 1.22535e-010  A10=-1.44284e-013  A12= 8.71285e-017  
第8面
K = 0.00000e+000  A 4= 1.09807e-005  A 6=-3.12547e-007  A 8= 1.71168e-009  A10=-1.03424e-011  A12= 3.11331e-014  
第32面
K = 0.00000e+000  A 4= 3.60854e-005  A 6= 5.76470e-008  A 8= 3.24540e-009  A10=-2.76103e-011  A12= 1.89789e-013  
各種データ
ズーム比      2.07 
広角     中間     望遠
焦点距離      10.30    13.12    21.35  
Fナンバー      3.23     3.62     4.63  
画角          52.86    46.03    32.50  
像高          13.60    13.60    13.60  
レンズ全長   135.13   133.91   135.09  
BF             0.15     0.15     0.15  
d10           21.15    14.95     4.84  
d17            1.16     1.16     4.96  
d24            6.48     5.36     1.26  
d32            0.10     6.18    17.76  
r21          -36.07   -45.10   -87.78  
r34           21.88    39.73   -40.36  
入射瞳位置    18.77    18.23    16.95  
射出瞳位置  -123.08  -110.79   -95.71  
前側主点位置  28.21    29.80    33.55  
後側主点位置 -10.16   -12.96   -21.20  
ズームレンズ群データ
群  始面    焦点距離  レンズ構成長  前側主点位置  後側主点位置
1    1     -14.50        26.49         8.29        -12.39
2   11      40.16        10.44         7.92          0.74
3+AO1 18    -497.71         7.19       -56.74        -69.50
4   25      70.45        19.85        11.80         -2.17
AO2  33     148.86        42.14         1.74        -37.62
単レンズデータ
レンズ  始面  焦点距離
1       1    -26.72
2       6    -21.68
3       7   -731.42
4       9     39.30
5      12    -19.67
6      13     22.37
7      16     35.46
8      18    -31.31
9      20    108.30
10      21    -48.89
11      23     27.19
12      25     35.43
13      26    -17.58
14      28     27.19
15      30    -27.46
16      31     26.05
17      33    -65.69
18      34     45.58
19      37      0.00
数値実施例５
単位 mm
面データ
面番号       r        d      nd         vd       有効径
1*       605.092    0.80   1.80440    39.6        6.00
2*         4.897  (可変)                          5.05
3          ∞    （可変）   1.33304    55.7       3.50
4       （可変） （可変）   1.51232    51.2       3.48
5          ∞       0.10                          3.46
6*         3.500    0.86   1.85026    32.3        3.44
7*         4.406  (可変)                          3.08
8(絞り)    ∞       0.10                          2.91
9*         3.437    1.28   1.61405    55.0        3.05
10*       -11.577    0.10                          2.88
11*        13.760    0.90   1.84666    23.8        2.79
12          3.426    1.41   1.48749    70.2        2.59
13          3.765  (可変)                          2.76
14          ∞    （可変）   1.33304    55.7       5.15
15       （可変） （可変）   1.90000    30.0       5.40
16          ∞       0.50                          5.65
17          ∞                                     5.96
非球面データ
第1面
K = 0.00000e+000  A 4=-3.56181e-003  A 6= 5.54628e-004  A 8=-4.01985e-005  A10= 1.24544e-006  
第2面
K = 0.00000e+000  A 4=-5.74765e-003  A 6= 9.75214e-004  A 8=-1.01702e-004  A10= 5.16448e-006  
第6面
K = 0.00000e+000  A 4=-1.60217e-003  A 6= 2.75815e-004  A 8= 6.27938e-005  A10=-1.79721e-005  
第7面
K = 0.00000e+000  A 4= 1.15367e-004  A 6= 6.38963e-004  A 8= 1.16586e-004  A10=-4.16220e-005  
第9面
K = 0.00000e+000  A 4= 1.26514e-003  A 6= 8.28785e-004  A 8= 4.03722e-006  A10= 2.61344e-005  
第10面
K = 0.00000e+000  A 4= 2.91922e-003  A 6= 4.15173e-004  A 8=-2.79036e-005  
第11面
K = 0.00000e+000  A 4=-4.66391e-003  A 6=-8.09814e-004  A 8=-7.17006e-006  A10=-7.98447e-005  
各種データ
ズーム比      2.87 
広角     中間     望遠
焦点距離       4.90     9.83    14.06  
Fナンバー      3.34     5.35     6.60  
画角          33.96    18.56    13.21  
像高           3.30     3.30     3.30  
レンズ全長    20.50    20.50    20.50  
BF             0.88     6.46     1.78
d 2            5.09     2.30     1.25  
d 7            3.01     1.91     0.63  
d13            2.93     1.23     8.24  
r 4          -63.61  -136.08    77.81  
d 3            0.55     0.54     0.52  
d 4            0.55     0.56     0.59  
r15          -32.16   -25.71   -24.07  
d14            0.85     0.87     0.88  
d15            0.60     0.58     0.57
入射瞳位置     4.44     3.61     2.67  
射出瞳位置    -5.70    -4.19    -9.34  
前側主点位置   5.70     4.38    -1.05  
後側主点位置  -4.02    -3.36   -12.28  
ズームレンズ群データ
群  始面    焦点距離  レンズ構成長  前側主点位置  後側主点位置
1    1      -6.14         0.80         0.45          0.00
AO1+2 3      14.52         2.06        -0.41         -1.61
3    8       7.35         3.79        -2.42         -3.60
AO2  14     -56.72         1.95         0.64         -0.82
単レンズデータ
レンズ  始面  焦点距離
1       1     -6.14
2       3    190.99
3       4   -124.16
4       6     13.92
5       9      4.46
6      11     -5.61
7      12     33.02
8      14     96.55
9      15    -35.73
以下に各数値実施例の条件式の値を示す。
【００７５】
【表１】
2014145883.tif 000003
条件式（４）（５）については、図１９参照のこと。
【符号の説明】
【００７６】
Ｌ１  第１レンズ群
Ｌ２  第２レンズ群
Ｌ３  第３レンズ群
Ｌ３ａ  第３ａレンズ群
Ｌ３ｂ  第３ｂレンズ群
Ｌ４  第４レンズ群
Ｌ５  第５レンズ群
ＡＯ１  屈折力可変レンズ１
ＡＯ２  屈折力可変レンズ２（ＡＯ２ａ，ＡＯ２ｂ）
ＰＲ  プリズム
ＩＰ  像面
ＳＰ  開口絞り
ＧＢ  硝子ブロック
ΔＳ  サジタル像面
ΔＭ  メリディオナル像面
【図１】
2014145883.tif 000004
【図２】
2014145883.tif 000005
【図３】
2014145883.tif 000006
【図４】
2014145883.tif 000007
【図５】
2014145883.tif 000008
【図６】
2014145883.tif 000009
【図７】
2014145883.tif 000010
【図８】
2014145883.tif 000011
【図９】
2014145883.tif 000012
【図１０】
2014145883.tif 000013
【図１１】
2014145883.tif 000014
【図１２】
2014145883.tif 000015
【図１３】
2014145883.tif 000016
【図１４】
2014145883.tif 000017
【図１５】
2014145883.tif 000018
【図１６】
2014145883.tif 000019
【図１７】
2014145883.tif 000020
【図１８】
2014145883.tif 000021
【図１９】
2014145883.tif 000022